(57)【要約】      （修正有）【課題】好気性菌、通性嫌気性菌、絶対嫌気性菌群から特異的な菌を抽出し、屋上緑化施設や法面緑化施設、及び観賞用または栽培用に用意されたプランター、鉢、花壇等の土壌内に密生した草類や木本類の根を積極的に微生物分解すること、及び微生物を含んだ分解液を提供する。【解決手段】好気性菌として、Ｂａｃｉｌｌｕｓ  ｓｐ．、Ｃｏｍａｍｏｎａｓ  ｓｐ．、Ｐｈｏｄｏｃｏｃｃｕｓ  ｓｐ．、Ｐｓｅｕｄｏｍｏｎａｓ  ｓｐ．、Ａｃｉｎｅｔｏｂａｃｔｅｒ  ｓｐ．、Ｘａｎｔｈｏｍｏｎａｓ  ｓｐ．、Ａｌｃａｌｉｇｅｎｅｓ  ｓｐ．、Ｆｌａｖｏｂａｃｔｅｒｉｕｍ  ｓｐ．、Ｐｓｅｕｄｏｍｏｎａｓ  ｓｐ．などの細菌、またはＳｔｒｅｐｔｏｍｙｃｅｓ  ｓｐ．、Ｍｉｃｒｏｍｏｎｏｓｐｏｒａ  ｓｐ．などの放線菌、またはＡｓｐｅｒｇｉｌｌｕｓ  ｓｐ．Ｐｅｎｉｃｉｌｌｉｕｍ  ｓｐ．などの糸状菌のうち少なくとも１種類以上を用いる。【選択図】なし【特許請求の範囲】
【請求項１】
微生物を利用して草本類の根を分解する方法。
【請求項２】
微生物は、好気性菌、通性嫌気性菌及び絶対嫌気性菌を用いることを特徴とする請求項１の微生物を利用した草本類の根を分解する方法。
【請求項３】
好気性菌、通性嫌気性菌及び絶対嫌気性菌を含む水溶液を土壌に散布あるいは注入することを特徴とする請求項１ないし２の微生物を利用した草本類の根を分解する方法。
【請求項４】
散布する土壌は、屋上緑化施設、法面緑化工法用のフリーフレームや植生マットで用いられている土壌の他に、プランター、花壇、鉢など観賞用及び栽培用に用意された土壌であることを特徴とする請求項１から３の微生物を利用した草本類の根を分解する方法。
【発明の詳細な説明】
【技術分野】
【０００１】
本発明は、屋上緑化施設や法面緑化施設、及び観賞用または栽培用に用意されたプランター、鉢、花壇等の土壌内に、草類や木本類の根が密生し、これら植物の成長が妨げられる際、あるいは植物種を変えようとする際に、微生物によって植物の根を分解する方法及び分解液に関するものである。さらに詳しくは、本発明は、好気性菌、通性嫌気性菌、及び絶対嫌気性菌を組み合わせ、水溶液とした分解液を土壌に散布または注入することで草本類の根を容易に分解することができる方法及び分解液を提供することに関するものである。
【技術背景】
【０００２】
屋上緑化施設や法面緑化施設の植生マットやフリーフレームなどでは、限られた土壌に植物の根が密生することによって、水分補給が不十分になることや空気の通りが不足することから植物の生育が阻害され、植物が枯れてしまうことが知られている。家庭での観賞用植物では、鉢やプランターを変えること、あるいは移植することによってこの弊害を解消しているが、屋上緑化施設や法面緑化マット、フリーフレームなどでは移植が困難で、解決策が求められている。
【０００３】
多種多様な微生物が存在するが、植物の根を効果的に分解する微生物をスクリーニングすることができた。このような微生物は、好気性菌、通性嫌気性菌、及び絶対嫌気性菌群に存在することが分かってきたが、屋上緑化施設や法面緑化施設、及び観賞用または栽培用に用意されたプランター、鉢、花壇等の土壌内に密生した草類や木本類の根を積極的に微生物分解することは試みられていない。
微生物発酵を利用した堆肥作りは古くから行われているものの、微生物分解を植物栽培に応用した例は少ない。例えば、自己分解性を持った水稲育種箱として、特開２００３−１４３９６８号公報、微生物分解性を備えた播種床として、特開２００２−６７号公報、微生物分解性を備え、芽や根が不織布を容易に通過して成長を遂げることが可能な農業用不織布として、特開平９−１３２８５４号公報が知られている。しかしながら、微生物分解を利用して、屋上緑化施設や法面緑化施設、及び観賞用または栽培用に用意されたプランター、鉢、花壇等の土壌内に密生した草本類の根を分解することは試みられていない。
【０００４】
メンテナンスの頻度を低減することができながら、根張りの深い植物であっても促成が可能な、植生用コンクリートと微生物分解性可能な有機系構造体で構成される植生用コンクリートが知られている（特許文献１）。しかしながら、屋上緑化施設や法面緑化施設、及び観賞用または栽培用に用意されたプランター、鉢、花壇等の土壌内に密生した草本類の根を微生物分解する、よりメンテナンスが容易なものではない。
【０００５】
【特許文献１】特開平８−８５９５５号公報
【０００６】
このように、微生物の特徴を活かした堆肥作りは古くから行われているものの、屋上緑化施設や法面緑化施設、及び観賞用または栽培用に用意されたプランター、鉢、花壇等の土壌内に密生した草本類の根を積極的に微生物分解することは試みられていない。ここで用いる微生物は、その目的を達成した後の植生に影響を与えないことが当然にも求められる。
【発明の開示】
【発明が解決しようとする課題】
【０００７】
以上のように、微生物の特徴を活かして堆肥作り等は古くから行われているが、屋上緑化施設や法面緑化施設、及び観賞用または栽培用に用意されたプランター、鉢、花壇等の土壌内に密生した草本類の根の処理に関して改良すべき点が指摘されている。
【０００８】
無数に存在する微生物から、このような目的にあった微生物をスクリーニングすること、好気性菌、通性嫌気性菌、絶対嫌気性菌群からこのような目的にあった微生物をスクリーニングすることの検討は行われていなかった。  
【０００９】
そこで、本発明では、上記の点に鑑みて、好気性菌、通性嫌気性菌、絶対嫌気性菌群から特異的な菌を抽出し、屋上緑化施設や法面緑化施設、及び観賞用または栽培用に用意されたプランター、鉢、花壇等の土壌内に密生した草類や木本類の根を積極的に微生物分解すること、及び微生物を含んだ分解液を提供することを課題としている。
【課題を解決するための手段】
【００１０】
本発明は、上記の課題を解決するものとして、第１には、好気性菌として、Ｂａｃｉｌｌｕｓ  ｓｐ．、Ｃｏｍａｍｏｎａｓ  ｓｐ．、Ｐｈｏｄｏｃｏｃｃｕｓ  ｓｐ．、Ｐｓｅｕｄｏｍｏｎａｓ  ｓｐ．、Ａｃｉｎｅｔｏｂａｃｔｅｒ  ｓｐ．、Ｘａｎｔｈｏｍｏｎａｓ  ｓｐ．、Ａｌｃａｌｉｇｅｎｅｓ  ｓｐ．、Ｆｌａｖｏｂａｃｔｅｒｉｕｍ  ｓｐ．、Ｐｓｅｕｄｏｍｏｎａｓ  ｓｐ．などの細菌、またはＳｔｒｅｐｔｏｍｙｃｅｓ  ｓｐ．、Ｍｉｃｒｏｍｏｎｏｓｐｏｒａ  ｓｐ．などの放線菌、またはＡｓｐｅｒｇｉｌｌｕｓ  ｓｐ．Ｐｅｎｉｃｉｌｌｉｕｍ  ｓｐ．などの糸状菌のうち少なくとも１種類以上を用いることを特徴とする草本類の根の微生物分解方法及び分解液を提供する。
【００１１】
また、第２には、通性嫌気性菌として、Ｂｉｆｉｄｏｂａｃｔｅｒｉｕｍ  ｓｐ．、Ｋｌｅｂｓｉｅｌｌａ  ｓｐ．などの細菌、またはＬｕｔｅｏｃｏｃｃｕｓ  ｓｐ．、Ｍｉｃｒｏｌｕｎａｔｕｓ  ｓｐ．などの放線菌、またはＣｌａｄｏｓｐｏｒｉｕｍ  ｓｐ．などの糸状菌、またはＳａｃｃｈａｒｏｍｙｃｅｓ  ｓｐ．、Ｐｉｃｈｉａ  ｓｐ．などの酵母を必要に応じて含むことを特徴とする草本類の根の微生物分解方法及び分解液を提供する。
【００１２】
そして、本発明は、第３には、絶対嫌気性菌として、Ｃｌｏｓｔｒｉｄｉｕｍ  ｓｐ．、Ｍｅｔｈａｎｏｂａｃｔｅｒｉｕｍ  ｓｐ．、Ｍｅｔｈａｎｏｓａｒｃｉｎａ  ｓｐ．、Ｄｅｓｕｌｆｏｖｉｂｒｉｏ  ｓｐ．などの細菌、またはＡｃｔｉｎｏｍｙｃｅｓ  ｓｐ．などの放線菌を必要に応じて含むことを特徴とする草本類の根の微生物分解方法及び分解液を提供する。
【００１３】
第４には、上記の微生物を含んだ水溶液として、土壌への注入を容易にしたことを特徴とする分解液を提供する。
【発明の効果】
【００１４】
本発明は上記のとおりの特徴を持つものであるが、屋上緑化施設や法面緑化施設、及び観賞用または栽培用に用意されたプランター、鉢、花壇等の土壌内に密生した草本類の根を積極的に微生物分解する方法及び分解液を提供することができる。このことによって、分解液の土壌注入が容易になる。
【発明を実施するための最良の形態】
【００１５】
本発明の特徴を実現するための形態としては、例えば以下のように例示することができる。
【００１６】
（１）好気性菌として、Ｂａｃｉｌｌｕｓ  ｓｐ．、Ｃｏｍａｍｏｎａｓ  ｓｐ．、Ｐｈｏｄｏｃｏｃｃｕｓ  ｓｐ．、Ｐｓｅｕｄｏｍｏｎａｓ  ｓｐ．、Ａｃｉｎｅｔｏｂａｃｔｅｒ  ｓｐ．、Ｘａｎｔｈｏｍｏｎａｓ  ｓｐ．、Ａｌｃａｌｉｇｅｎｅｓ  ｓｐ．、Ｆｌａｖｏｂａｃｔｅｒｉｕｍ  ｓｐ．、Ｐｓｅｕｄｏｍｏｎａｓ  ｓｐ．などの細菌、またはＳｔｒｅｐｔｏｍｙｃｅｓ  ｓｐ．、Ｍｉｃｒｏｍｏｎｏｓｐｏｒａ  ｓｐ．などの放線菌、またはＡｓｐｅｒｇｉｌｌｕｓ  ｓｐ．Ｐｅｎｉｃｉｌｌｉｕｍ  ｓｐ．などの糸状菌のうち少なくとも１種類以上を用いる。
【００１７】
（２）通性嫌気性菌として、Ｂｉｆｉｄｏｂａｃｔｅｒｉｕｍ  ｓｐ．、Ｋｌｅｂｓｉｅｌｌａ  ｓｐ．などの細菌、またはＬｕｔｅｏｃｏｃｃｕｓ  ｓｐ．、Ｍｉｃｒｏｌｕｎａｔｕｓ  ｓｐ．などの放線菌、またはＣｌａｄｏｓｐｏｒｉｕｍ  ｓｐ．などの糸状菌、またはＳａｃｃｈａｒｏｍｙｃｅｓ  ｓｐ．、Ｐｉｃｈｉａ  ｓｐ．などの酵母を必要に応じて用いる。
【００１８】
（３）絶対嫌気性菌として、Ｃｌｏｓｔｒｉｄｉｕｍ  ｓｐ．、Ｍｅｔｈａｎｏｂａｃｔｅｒｉｕｍ  ｓｐ．、Ｍｅｔｈａｎｏｓａｒｃｉｎａ  ｓｐ．、Ｄｅｓｕｌｆｏｖｉｂｒｉｏ  ｓｐ．などの細菌、またはＡｃｔｉｎｏｍｙｃｅｓ  ｓｐ．などの放線菌を必要に応じて用いる。
【００１９】
上記の微生物を、使用用途や草本類又は／及び木本類の種類に応じて組み合わせることによって、効率的に植物の根を微生物分解することができる。
【００２０】
また、これらの微生物を水に溶解して、土壌への注入が容易な分解液として使用することができる。
【００２１】
本発明で得られた草本類の根の微生物分解方法及び分解液は、屋上緑化施設や法面緑化施設、及び観賞用または栽培用に用意されたプランター、鉢、花壇等幅広く使用することができる。
【００２２】
以上の説明によって明らのように、本発明によれば、屋上緑化施設、法面緑化工法のフリーフレムや植生マット用いられている土壌の他に、プランター、花壇、鉢観賞用及び栽培用土壌である、
土の入れ替えをしない限られた土壌の中では、枯れた根の残骸が増え、土壌が固まり、生きている根が酸欠状態になってしまう。微生物を利用することにより、根の残骸を分解し、土の入れ換えをすることなく新たな土壌再生することができる。
上記のことから、微生物を利用した土壌は、法面緑化の様に、施工後草刈や追肥の困難な緑化、屋上緑化の様に追肥は出来るが最小限の土壌でしかも入れ換えが困難な緑化に利用することにより、低コストのケアを実現することができる。